(57)【要約】【課題】サービスマンが出向く手間を不要とし、製造面及び管理面における手間を軽減させることが可能な画像形成装置及び方法を提供する。【解決手段】ユーザが操作する操作ボタン２４ａ，１１１〜１１３，１１５〜１１７，１１９〜１２１部分に設けられるパネルシート１００を作成する画像形成装置１であって、国設定を行うための国設定画面を表示させるディスプレイ２４ｂと、ディスプレイ２４ｂに国設定を行うための国設定画面が表示された状態で、国を選択する操作を受け付ける操作ボタン２４ａ，１１１〜１１３，１１５〜１１７，１１９〜１２１と、を備え、操作ボタン２４ａ，１１１〜１１３，１１５〜１１７，１１９〜１２１を介して選択された国の言語に応じたパネルシート１００が出力される。【選択図】図２
2009267952.tif 000002
【特許請求の範囲】
【請求項１】
ユーザが操作する操作ボタンを複数備えた操作部に、前記複数の操作ボタンの機能を示す画像を有したパネルシートを配置する画像形成装置であって、
前記画像形成装置に適用される言語に関する情報を取得する取得部と、
前記取得部により取得された言語に応じたパネルシートを出力する画像形成部と、
を備えることを特徴とする画像形成装置。
【請求項２】
前記取得部は、前記画像形成装置が使用される国に関する情報を取得し、当該取得した国に関する情報に基づいて、前記言語に関する情報を取得する、
ことを特徴とする請求項１に記載の画像形成装置。
【請求項３】
前記取得部は、前記操作部からの入力に基づいて、前記国に関する情報或いは前記言語に関する情報を取得する、
ことを特徴とする請求項１又は請求項２に記載の画像形成装置。
【請求項４】
ユーザが操作する操作ボタンを複数備えた操作部に、前記複数の操作ボタンの機能を示す画像を有したパネルシートを配置する画像形成装置の画像形成方法であって、
前記画像形成装置に適用される言語に関する情報を取得する取得ステップと、
前記取得ステップにおいて取得された言語に応じたパネルシートを出力する画像形成ステップと、
を有することを特徴とする画像形成方法。
【請求項５】
画像形成装置に適用される言語に関する情報を取得する取得部と、
前記取得部により取得された国情報に基づいて、ユーザが操作する操作ボタンを複数備えた操作部に前記複数の操作ボタンの機能を示す画像を有したパネルシートの画像を生成する画像生成部と、
前記画像生成部により生成されたパネルシートの画像を印刷して出力する印刷出力部と、
を備えることを特徴とする画像形成装置。
【請求項６】
画像形成装置に適用される言語に関する情報を取得する取得ステップと、
前記取得ステップにおいて取得された国情報に基づいて、ユーザが操作する操作ボタンを複数備えた操作部に前記複数の操作ボタンの機能を示す画像を有したパネルシートの画像を生成する画像生成ステップと、
前記画像生成ステップにおいて生成されたパネルシートの画像を印刷して出力する印刷出力ステップと、
を有することを特徴とする画像形成方法。
【発明の詳細な説明】
【技術分野】
【０００１】
本発明は、画像形成装置及び方法に関する。
【背景技術】
【０００２】
従来、地域毎に異なる通信規格に対応し、国設定を行うことができるファクシミリ装置が提案されている（特許文献１及び特許文献２参照）。
【特許文献１】特開２００８−１１３５３号公報
【特許文献２】特開平１０−７５３２２号公報
【発明の開示】
【発明が解決しようとする課題】
【０００３】
しかし、従来のファクシミリ装置では、装置を実際に使用する国或いは地域（以下、両者を含めて国と称する。）に応じて国設定を行い、装置の通信設定を使用する国の通信規格に適合させることができる。この通信設定については、ユーザ操作によって設定も可能なファクシミリ装置が多い。しかしながら、ユーザが操作する操作ボタン部分に設けられるパネルシートについては、サービスマンが適切なパネルシートを持参して取り付けたり、地域毎のパネルシート一式を販売時に同梱しておいてユーザに取り付けさせたりするなどしていた。このため、前者の形態においてはサービスマンが出向く手間が発生し、後者の形態にあっては地域毎のパネルシートを製造し管理するという手間が生じていた。
【０００４】
本発明は、このような従来の課題を解決するためになされたものであり、その目的とするところは、サービスマンが出向く手間を不要とし、パネルシートの製造及び管理の両面における手間を軽減させることが可能な画像形成装置及び方法を提供することにある。
【課題を解決するための手段】
【０００５】
上記目的を達成するため、本発明に係る画像形成装置は、ユーザが操作する操作ボタンを複数備えた操作部に、複数の操作ボタンの機能を示す画像を有したパネルシートを配置する画像形成装置であって、画像形成装置に適用される言語に関する情報を取得する取得部と、取得部により取得された言語に応じたパネルシートを出力する画像形成部と、を備えることを特徴とする。
【０００６】
また、本発明に係る画像形成方法は、ユーザが操作する操作ボタンを複数備えた操作部に、複数の操作ボタンの機能を示す画像を有したパネルシートを配置する画像形成装置の画像形成方法であって、画像形成装置に適用される言語に関する情報を取得する取得ステップと、取得ステップにおいて取得された言語に応じたパネルシートを出力する画像形成ステップと、を有することを特徴とする。
【発明の効果】
【０００７】
本発明に係る画像形成装置及び方法によれば、適用されるべき言語に従った適切なパネルシートが画像形成部から出力されることとなり、装置設置場所にサービスマンが出向く手間が発生せず、地域毎のパネルシートを製造してこれら一式を画像形成装置に同梱する必要性もない。従って、サービスマンが出向く手間を不要とし、製造面及び管理面における手間を軽減させることができる。
【発明を実施するための最良の形態】
【０００８】
以下に本発明の実施の形態に基づいて、本発明を説明するが、本発明は該実施の形態に限られない。
【０００９】
図１は、本実施形態に係る画像形成装置の全体構成を示す制御ブロック図である。本実施形態に係る画像形成装置は、例えばＭＦＰ（Multi Functional Peripheral）であって、複写機能、ファクシミリ機能、及びスキャナ機能等を含むものである。この画像形成装置１は、図１に示すように、ＣＰＵ（Central Processing Unit）１０と、ＲＯＭ（Read Only Memory）１１と、ＲＡＭ（Random Access Memory）１２と、公衆回線インターフェースモジュール１３と、電話応答モジュール１４と、モデム１５とを備えている。さらに、画像形成装置１は、ＣＣＤ（Charge Coupled Devices）イメージセンサを含む画像読取ユニット１６と、ＵＳＢ（Universal Serial Bus）インターフェース１７と、ＮＩＣ（Network Interface Card）１８と、ＩＲ（Image Reader）／ＡＤＦ（Auto Document Feeder）モータ１９と、モータドライバ２０と、画像処理チップ２１と、ＲＡＭ２２と、プリントエンジン２３と、オペレーションパネル２４とを備えている。
【００１０】
ＣＰＵ１０は、画像形成装置１の全体を制御するものであって、スキャナ機能、ファクシミリ機能、プリント機能及びコピー機能などの各機能についての制御を行う。ＲＯＭ１１は、画像形成装置１内で実行されるスキャナ、ファクシミリ、プリント及びコピーについてのプログラム等を記憶する。ＲＡＭ１２は、ＣＰＵ１０によりＲＯＭ１１から読み出されたプログラムや、各種データを一時保存する。ＣＰＵ１０は、ＲＡＭ１２に読み出されたプログラムに従って各処理を実行する。
【００１１】
公衆回線インターフェースモジュール１３は、公衆回線網と接続されるインターフェース部である。電話応答モジュール１４は、着信時の応答を行う。モデム１５は、デジタル信号を電話回線のアナログ信号に変調すると共に、その逆に変換して復調する。
【００１２】
画像読取ユニット１６は、画像形成装置１の原稿台上に載置され走査装置によりスキャンされた原稿画像の反射光をＣＣＤイメージセンサにより受け、この反射光を光電変換し更にアナログ−デジタル変換して画像データを生成する。更に、ＵＳＢインターフェース１７は、パーソナルコンピュータ等から送られてきた印刷ジョブを入力したり、スキャンして得た画像信号に基づいて生成された画像データをパーソナルコンピュータ等に送信したりする。ＮＩＣ１８は、パーソナルコンピュータなどとＬＡＮ（Local Area Network）を経由して接続するための拡張カードであって、ＵＳＢインターフェース１７と同様に、パーソナルコンピュータ等から送られてきた印刷ジョブを入力したり出力したりする。
【００１３】
ＩＲ／ＡＤＦモータ１９は、読み取り装置や自動原稿送り装置を駆動するモータである。モータドライバ２０は、ＩＲ／ＡＤＦモータ１９を駆動制御する。
【００１４】
画像処理チップ２１は、変倍、画像回転、濃度調整、エッジ強調、スムージング、２値化等の画像処理を行う。ＲＡＭ２２は、画像処理チップ２１が画像処理の過程で画像データや各種計算値などを一時的に記憶する。又、ＲＡＭ２２は、画像処理後の１頁分の画像データを蓄えるページメモリとしての機能も担う。プリントエンジン２３は、ページメモリとしてのＲＡＭ２２に蓄えられた画像データに基づいて用紙上に画像を形成する。
【００１５】
オペレーションパネル２４は、ユーザより各種設定及び動作指示を受け付ける。図２は、本実施形態のオペレーションパネル２４を示す正面図である。図２に示すように、オペレーションパネル２４は、各種操作ボタン２４ａと、ディスプレイ２４ｂとを備える。各種操作ボタン２４ａは、例えばファックス、スキャン、コピーなどの指定ボタン、ストップリセットボタン、スタートボタン、アドレスブックボタン、リダイアル／ポーズボタン、オンフックボタン、及び、アルファベット入力ボタン等からなっている。また、ディスプレイ２４ｂは、タッチパネルをディスプレイ上に配置した構成になっており、ディスプレイ２４ｂ上においても、操作ボタン（後述の上下ボタン１１１，１１９、ＯＫボタン１１２，１１５，１２０、チェンジボタン１１６、及びキャンセルボタン１１３，１１７，１２１等のソフトウェアボタン）が表示される。このようなディスプレイ２４ｂには、コピーの際の拡大縮小などを設定可能なコピー画面や、ファックス送信先などを示すファックス画面などが表示されるようになっている。
【００１６】
また、このようなオペレーションパネル２４には、パネルシートが取り付けられる。図３は、パネルシートの一例を示す図であり、（ａ）は英語圏におけるパネルシートを示し、（ｂ）は日本語圏におけるパネルシートを示している。オペレーションパネル２４には、図３（ａ）及び図３（ｂ）に示すようなパネルシート１００が設けられる。このパネルシート１００には、各操作ボタン２４ａに対応した位置に切り抜き１０１が形成されている。また、パネルシート１００には、ディスプレイ２４ｂに対応して矩形状の切り抜き１０２が形成されている。さらに、図２（ａ）に示すパネルシート１００には、英語圏におけるユーザが使用し易いように、各操作ボタンの役割（機能）を示す英語表記１０３が記されている。一方、図２（ｂ）に示すパネルシート１００には、日本語圏におけるユーザが使用し易いように、各操作ボタンの役割を示す日本語表記１０４が記されている。
【００１７】
このような画像形成装置１において原稿台上に原稿が置かれ、オペレーションパネル２４を介してコピー指示されると、ＣＰＵ１０は、モータドライバ２０を介してＩＲ／ＡＤＦモータ１９を駆動制御し、画像読取ユニット１６は、スキャンされた画像の反射光を受け画像データを生成する。画像処理チップ２１は、ＣＰＵ１０の制御の元、画像読取ユニット１６から画像データを受け取り、オペレーションパネル２４で指示されたコピー条件に従って画像処理を行い、ＲＡＭ１２に一時保存する。ＲＡＭ１２に一時保存されたデータは、プリントエンジン２３の動作に同期して、専用ビデオバスを介してプリントエンジン２３に供給される。
【００１８】
また、オペレーションパネル２４を介してスキャンが指示されると、ＣＰＵ１０は、モータドライバ２０を介してＩＲ／ＡＤＦモータ１９を駆動制御し、画像読取ユニット１６は、原稿画像の反射光に基づいて画像データを生成する。画像処理チップ２１は、ＣＰＵ１０の制御の元、画像読取ユニット１６から画像データを受け取り、オペレーションパネル２４で指示されたスキャン条件に従って画像処理を行い、ＲＡＭ１２に一時保存する。ＲＡＭ１２に一時保存されたデータは、ＣＰＵ１０によって、例えばＰＤＦ（Portable Document Format）ファイル等のファイル形式に変換され、ＵＳＢインターフェース１７やＮＩＣ１８を介して外部装置に出力される。
【００１９】
また、オペレーションパネル２４を介してファックスが指示されると、ＣＰＵ１０は、モータドライバ２０を介してＩＲ／ＡＤＦモータ１９を駆動制御し、画像読取ユニット１６は、原稿画像に基づいた画像データを生成する。画像処理チップ２１は、ＣＰＵ１０による制御の元、画像読取ユニット１６から画像データを受け取り、オペレーションパネル２４で指示されたファックス送信条件従って画像データに対して画像処理を施し、ＲＡＭ１２に一時保存する。ＲＡＭ１２に一時保存されたデータは、ＣＰＵ１０の制御により、モデム１５を介して、公衆回線インターフェースモジュール１３に供給されて送信先ファックス装置に送信される。
【００２０】
さらに、ＵＳＢインターフェース１７やＮＩＣ１８を介して外部から印刷ジョブを受信した場合、ＣＰＵ１０は、印刷ジョブを解析してビットマップ画像データを生成して、これを圧縮して画像処理チップ２１に受け渡す。画像処理チップ２１は、圧縮画像データを受け付け、これを伸張して画素毎に当該画素の画像属性に応じた画像処理を施した後、ＲＡＭ２２に一時保存する。ＲＡＭ２２に一時保存されたデータはプリントエンジン２３に供給されるプリントされる。
【００２１】
ここで、本実施形態に係る画像形成装置１は、複数の言語表記によるパネルシートを印刷可能となっている。次に、パネルシート１００の印刷に係る処理について説明する。図４は、本実施形態に係る画像形成方法を示すフローチャートである。尚、本フローチャートの処理は、ＣＰＵ１０がＲＯＭ１１に格納されたプログラムをＲＡＭ１２に展開し、ＲＡＭをワークエリアとして使用することにより実行される。図４に示すように、画像形成装置１の電源がオンされると、スタートアップ処理が実行される（Ｓ１）。次いで、ＣＰＵ１０は、初回起動時であって、初期設定が必要か否かを判断する（Ｓ２）。初期設定が必要であると判断した場合（Ｓ２：ＹＥＳ）、処理はステップＳ４に移行する。
【００２２】
一方、初期設定が必要でないと判断した場合（Ｓ２：ＮＯ）、ＣＰＵ１０は、操作ボタン２４ａを介してユーザから操作入力があったか否かを判断する（Ｓ３）。ユーザから操作入力がなかったと判断した場合（Ｓ３：ＮＯ）、処理はステップＳ５に移行する。また、ユーザから操作入力があったと判断した場合（Ｓ３：ＹＥＳ）、処理はステップＳ４に移行する。
【００２３】
ステップＳ４において、ＣＰＵ１０は、パネルシート作成処理を実行する（Ｓ４）。そして、ＣＰＵ１０は、ステップＳ３における操作入力においてスキャンなどの指示があったか否か、及び、外部のパーソナルコンピュータ等からプリントの指示があったか否かを判断する（Ｓ５）。上記指示がなかったと判断した場合（Ｓ５：ＮＯ）、処理はステップＳ３に移行する。
【００２４】
一方、上記指示があったと判断した場合（Ｓ５：ＹＥＳ）、ＣＰＵ１０は、プリントやスキャン等の動作を実行し（Ｓ６）、処理はステップＳ３に移行する。
【００２５】
図５は、図４に示したパネルシート作成処理（Ｓ４）の詳細を示すフローチャートである。パネルシート作成処理において、まずＣＰＵ１０は、国設定を行う必要があるか否かを判断する（Ｓ１１）。例えば、図４に示したステップＳ２において「ＹＥＳ」と判断されたり、ステップＳ３の操作入力において国設定を行う旨の操作があったりした場合、ＣＰＵ１１は、国設定を行う必要があると判断する（Ｓ１１：ＹＥＳ）。特に、初回起動時には、出荷時のファックス通信の通信規格が実際に使用する国における通信規格と適合しておらず、規格を適合させるために国設定を行う必要がある。
【００２６】
そして、ＣＰＵ１０による制御を受け、ディスプレイ２４ｂは、国設定を行うための国設定画面を表示する（Ｓ１２）。図６は、図５に示すステップＳ１２において表示される国設定画面を示す図である。図６に示すように、国設定画面では、設定可能な国情報１１０が表示されている。ユーザは、同じく国設定画面に表示される上下ボタン１１１により国を選択し、ＯＫボタン１１２を操作することにより、国設定を行うことができる。また、ユーザはキャンセルボタン１１３を操作することにより、国設定画面から抜け出ることができる。
【００２７】
なお、図６に示す国情報１１０は、予めＲＯＭ１１に記憶されている。図７は、国情報を示す図である。図７に示すように、ＲＯＭ１１は、ＩＤ１と国情報１１０とを対応付けて記憶している。ＣＰＵ１０は、国設定画面の表示要求があると、ＲＯＭ１１から図７に示すデータを読み出して国情報を表示することとなる。
【００２８】
再度、図５を参照する。図６を参照して説明したように、国設定画面を表示後、ＣＰＵ１０は、ＯＫボタン１１２が操作されたか否かを判断する（Ｓ１３）。ＯＫボタン１１２が操作されたと判断した場合（Ｓ１３：ＹＥＳ）、ＣＰＵ１０は、設定された国情報を取得し、国情報をＲＡＭ１２に保存する（Ｓ１５）。そして、ＣＰＵ１０は、ＲＡＭ１２に記憶された情報に従って、ファクシミリの通信規格を適合させる。その後、処理はステップＳ１７に移行する。
【００２９】
一方、ＯＫボタン１１２が操作されていないと判断した場合（Ｓ１３：ＮＯ）、ＣＰＵ１０は、キャンセルボタン１１３が操作されたか否かを判断する（Ｓ１４）。キャンセルボタン１１３が操作されていないと判断した場合（Ｓ１４：ＮＯ）、処理はステップＳ１２に移行する。また、キャンセルボタン１１３が操作されたと判断した場合（Ｓ１４：ＹＥＳ）、処理はステップＳ１６に移行する。
【００３０】
ところで、ステップＳ１１において国設定を行う必要がないと判断した場合（Ｓ１１：ＮＯ）、処理はステップＳ１６に移行する。そして、ＣＰＵ１０は、パネルシート１００の印刷の必要があるか否かを判断する（Ｓ１６）。例えば、図４に示したステップＳ３の操作入力においてパネルシート１００の印刷を行う旨の操作があった場合、ＣＰＵ１１は、パネルシート１００の印刷を行う必要があると判断する（Ｓ１６：ＹＥＳ）。そして、処理はステップＳ１７に移行する。一方、パネルシート１００の印刷を行う必要がないと判断した場合（Ｓ１６：ＮＯ）、図５に示す処理は終了し、処理は、図４に示したステップＳ５に移行する。
【００３１】
ステップＳ１７において、ＣＰＵ１０は、ローカライズ言語の情報を取得する（Ｓ１７）。この処理においてＣＰＵ１０は過去に記憶した国設定された情報に基づいてローカライズ言語、すなわちパネルシート１００を印刷する際の言語の情報を取得する。このとき、ＣＰＵ１０は、図７に示すデータと図８に示すデータとを参照して、ローカライズ言語の情報を取得する。
【００３２】
図７に示すように、ＲＯＭ１１は、ＩＤ１と国情報１１０とを対応付けて記憶しており、更に、国情報１１０とＩＤ２とを対応付けて記憶している。図８は、ＩＤ２とローカライズ言語情報との対応付け、及びローカライズ言語情報と実際の画像／言語データのデータファイル名との対応付けを示す図である。ＲＯＭ１１は、図８に示すように、ＩＤ２、ローカライズ言語、及び画像／言語データのデータファイル名を対応付けて記憶している。図５に示すステップＳ１７においては、図８に示される対応関係に基づいて言語が取得される。例えば、オーストラリアの国設定が行われている場合、ＣＰＵ１０は、図８に示すデータから、ローカライズ言語を英語であると判断して、英語の情報をローカライズ言語の情報として取得する。
【００３３】
そして、ディスプレイ２４ｂは、国設定を行うための国設定画面を表示する（Ｓ１８）。図９は、図５に示すステップＳ１８において表示される印刷確認画面を示す図である。図９に示すように、印刷確認画面では、国設定画面において選択された国に応じたローカライズ言語の情報１１４が表示されている。ユーザは、同じく印刷確認画面に表示されるＯＫボタン１１５を操作することにより、ローカライズ言語に応じたパネルシート１００を印刷することができる。また、ユーザはチェンジボタン１１６を操作することにより、表示されているローカライズ言語（図９においては日本）を変更するローカライズ言語選択画面に移行することができる。さらに、ユーザはキャンセルボタン１１７を操作することにより、印刷確認画面から抜け出ることができる。
【００３４】
再度、図５を参照する。図９を参照して説明したように、印刷確認画面を表示後、ＣＰＵ１０は、ＯＫボタン１１５が操作されたか否かを判断する（Ｓ１９）。ＯＫボタン１１５が操作されたと判断した場合（Ｓ１９：ＹＥＳ）、ＣＰＵ１０は、ローカライズ言語に応じたパネルシート１００を印刷させる（Ｓ２５）。このとき、ＣＰＵ１０は、プリントエンジン２３を駆動させ、図３に示したように、操作ボタン２４ａ及びディスプレイ２４ｂに合致した形状の画像を形成してパネルシート１００を印刷させる。そして、図５に示す処理は終了し、処理は図４に示したステップＳ５に移行する。
【００３５】
一方、ＯＫボタン１１５が操作されていないと判断した場合（Ｓ１９：ＮＯ）、ＣＰＵ１０は、チェンジボタン１１６が操作されたか否かを判断する（Ｓ２０）。チェンジボタン１１６が操作されていないと判断した場合（Ｓ２０：ＮＯ）、ＣＰＵ１０は、キャンセルボタン１１７が操作されたか否かを判断する（Ｓ２１）。キャンセルボタン１１７が操作されていないと判断した場合（Ｓ２１：ＮＯ）、処理はステップＳ１８に移行する。また、キャンセルボタン１１７が操作されたと判断した場合（Ｓ２１：ＹＥＳ）、図５に示す処理は終了し、処理は図４に示したステップＳ５に移行する。
【００３６】
ところで、チェンジボタン１１６が操作されたと判断した場合（Ｓ２０：ＹＥＳ）、ディスプレイ２４ｂは、ローカライズ言語選択画面を表示する（Ｓ２２）。図１０は、図５に示すステップＳ２２において表示されるローカライズ言語選択画面を示す図である。図１０に示すように、ローカライズ言語選択画面では、図８に示すローカライズ言語の情報１１８が表示されている。ユーザは、同じくローカライズ言語選択画面に表示される上下ボタン１１９により国を選択し、ＯＫボタン１２０を操作することにより、ローカライズ言語に応じたパネルシート１００を印刷することができる。また、ユーザはキャンセルボタン１２１を操作することにより、ローカライズ言語選択画面から抜け出ることができる。
【００３７】
再度図５を参照する。図１０を参照して説明したように、ローカライズ言語選択画面を表示後、ＣＰＵ１０は、ＯＫボタン１２０が操作されたか否かを判断する（Ｓ２３）。ＯＫボタン１２０が操作されたと判断した場合（Ｓ２３：ＹＥＳ）、ＣＰＵ１０は、選択されたローカライズ言語に応じたパネルシート１００を印刷させる（Ｓ２５）。このとき、ＣＰＵ１０は、プリントエンジン２３を駆動し、図３に示したように、操作ボタン２４ａ及びディスプレイ２４ｂに合致した形状の画像を形成してパネルシート１００を印刷させる。そして、図５に示す処理は終了し、処理は図４に示したステップＳ５に移行する。
【００３８】
一方、ＯＫボタン１２０が操作されていないと判断した場合（Ｓ２３：ＮＯ）、ＣＰＵ１０は、キャンセルボタン１２１が操作されたか否かを判断する（Ｓ２４）。キャンセルボタン１２１が操作されていないと判断した場合（Ｓ２４：ＮＯ）、処理はステップＳ２２に移行する。また、キャンセルボタン１２１が操作されたと判断した場合（Ｓ２４：ＹＥＳ）、図５に示す処理は終了し、処理は図４に示したステップＳ５に移行する。
【００３９】
このようにして、本実施形態に係る画像形成装置１及び方法によれば、選択・設定された国の言語に応じたパネルシート１００を出力するため、画像形成装置１上から適切なパネルシート１００が出力されることとなり、サービスマンが出向く手間が発生せず、地域毎のパネルシート１００を製造する必要性もない。従って、サービスマンが出向く手間を不要とし、製造面及び管理面における手間を軽減させることができる。
【００４０】
また、ローカライズ言語選択画面において操作ボタン１１１〜１１３，１１５〜１１７，１１９〜１２１を介して言語のみの選択が行われた場合、選択された言語に応じたパネルシート１００を出力するため、例えば、海外の日本企業などにおいて、通信規格は海外の規格であるが、画像形成装置１を操作する者が日本人である場合など、通信規格と適切なパネルシート１００が一致しない場合においても、適切なパネルシート１００を出力することができる。
【００４１】
以上、本発明に係る画像形成装置及び方法を実施形態に基づいて説明したが、本発明はこれに限定されるものではなく、本発明の趣旨を逸脱しない範囲で、変更を加えてもよい。
【００４２】
例えば、上記実施形態では、ファクシミリの通信規格を適合させる際に国情報が選択・設定され、これに基づくローカライズ言語に応じてパネルシート１００が印刷されているが、これに限らず、プリンタのシリアル番号など、国識別可能な情報を国情報として取得し、取得した国情報に基づくローカライズ言語に応じてパネルシート１００が印刷されるようにしてもよい。
【００４３】
また、本実施形態では、複合機を画像形成装置の一例として挙げたが、これに限らず、国情報を取得可能な機能を備える画像形成装置であれば、複合機に限らず、ファクシミリやプリンタなどであってもよい。
【００４４】
さらに、本実施形態ではパネルシート１００を印刷している例のみを説明したが、ディスプレイ２４ｂ上に表示する言語をローカライズされた言語による表示を行うようにしても勿論よい。
【００４５】
また、上記実施形態では、国情報やユーザからの入力に従って、ローカライズ言語に応じたパネルシート１００を印刷しているが、これに限らず、外部から画像データを入力する画像データ入力ユニットを備え、画像データ入力ユニットにより入力された画像データ上の言語に応じたパネルシートが出力されるようにしてもよい。すなわち、スキャナにより取り込まれた原稿の言語や、コピー動作やプリント動作によって印刷される原稿の言語や、ＵＳＢインターフェース１７及びＮＩＣ１８から入力してきた画像データ上の言語を解析して、パネルシート１００を印刷するようにしてもよい。これにより、ユーザが国設定や言語設定等を行わなくとも、データ上から言語を選択して適切なパネルシート１００を出力することが可能となり、ユーザによる言語設定等の手間を軽減させることができるからである。
【図面の簡単な説明】
【００４６】
【図１】本実施形態に係る画像形成装置の全体構成を示す制御ブロック図である。
【図２】オペレーションパネルを示す正面図である。
【図３】パネルシートの一例を示す図であり、（ａ）は英語圏におけるパネルシートを示し、（ｂ）は日本語圏におけるパネルシートを示している。
【図４】本実施形態に係る画像形成方法を示すフローチャートである。
【図５】図４に示したパネルシート作成処理（Ｓ４）の詳細を示すフローチャートである。
【図６】図５に示すステップＳ１２において表示される国設定画面を示す図である。
【図７】国情報を示す図である。
【図８】図５に示すステップＳ１７において取得される言語を示す図である。
【図９】図５に示すステップＳ１８において表示される印刷確認画面を示す図である。
【図１０】図５に示すステップＳ２２において表示されるローカライズ言語選択画面を示す図である。
【符号の説明】
【００４７】
１  画像形成装置
１０  ＣＰＵ
１１  ＲＯＭ
１２  ＲＡＭ
１３  公衆回線インターフェースモジュール
１４  電話応答モジュール
１５  モデム
１６  ＣＣＤ
１７  ＵＳＢインターフェース
１８  ＮＩＣ
１９  ＩＲ／ＡＤＦモータ
２０  モータドライバ
２１  画像処理チップ
２２  ＲＡＭ
２３  プリントエンジン
２４  オペレーションパネル
２４ａ，１１１〜１１３，１１５〜１１７，１１９〜１２１  操作ボタン
２４ｂ  ディスプレイ
【図１】
2009267952.tif 000003
【図２】
2009267952.tif 000004
【図３】
2009267952.tif 000005
【図４】
2009267952.tif 000006
【図５】
2009267952.tif 000007
【図６】
2009267952.tif 000008
【図７】
2009267952.tif 000009
【図８】
2009267952.tif 000010
【図９】
2009267952.tif 000011
【図１０】
2009267952.tif 000012